(57)【要約】      （修正有）【課題】オルゴールによる演奏とともに、視覚的にも楽しめるように外側缶に収納された内側缶を回転できるようにしたオルゴール缶を提供する。【解決手段】オルゴール１０と、物品を収納する有底円筒状の内側缶４と、内側缶の径及び高さより大きい径及び高さであって、側面に開口部３０を有する有底円筒状の外側缶３と、を有し、内側缶が外側缶の内部に回転可能に収納され、かつオルゴールが内側缶の底部４５と外側缶の底部３５との間に収納され、オルゴールによる演奏とともに、内側缶が回転するように構成されている。【選択図】図３
0003226641.tif 000002
【実用新案登録請求の範囲】
【請求項１】
オルゴールと、
物品を収納する有底円筒状の内側缶と、
前記内側缶の径及び高さより大きい径及び高さであって、側面に開口部を有する有底円筒状の外側缶と、
を有し、
前記内側缶が前記外側缶の内部に回転可能に収納され、かつ前記オルゴールが前記内側缶の底部と前記外側缶の底部との間に収納され、前記オルゴールによる演奏とともに、前記内側缶が回転すること
を特徴とするオルゴール缶。
【請求項２】
前記内側缶の側面には、全面にわたって図柄が施されており、
前記内側缶が回転することにより、前記外側缶の前記開口部から表示される前記図柄が変化すること
を特徴とする請求項１に記載のオルゴール缶。
【請求項３】
前記内側缶の底部には、
前記オルゴールのドラムを回転させるゼンマイの回転軸が固定されていること
を特徴とする請求項１又は請求項２に記載のオルゴール缶。
【考案の詳細な説明】
【技術分野】
【０００１】
本考案は、オルゴールによる演奏とともに外側缶に収納された内側缶を回転できるようにしたオルゴール缶に関する。
【背景技術】
【０００２】
従来、オルゴールを備えた収納容器として、例えば、特許文献１に示されるようなものが開示されている。この特許文献１の収納容器は、デコレーションケーキを収納することでき、さらにデコレーションケーキを取り出した際には、パーティーにちなんだ曲がオルゴールによって演奏されるものである。
【先行技術文献】
【特許文献】
【０００３】
【特許文献１】実全平０４−０４０２９９号公報
【考案の概要】
【考案が解決しようとする課題】
【０００４】
しかしながら、特許文献１の収納容器は、オルゴールを楽しむ者は、オルゴールの演奏により聴覚的に楽しめるものの、収納容器を簡単に回転させるなどの動的な演出を行うことができないため、視覚的に楽しませることができないといった問題があった。
【０００５】
そこで、本考案の目的は、オルゴールによる演奏とともに外側缶に収納される内側缶を回転できるようにしたオルゴール缶を提供することである。
【課題を解決するための手段】
【０００６】
上記目的を達成するため、本考案のオルゴール缶は、オルゴールと、物品を収納する有底円筒状の内側缶と、前記内側缶の径及び高さより大きい径及び高さであって、側面に開口部を有する有底円筒状の外側缶と、を有し、前記内側缶が前記外側缶の内部に回転可能に収納され、かつ前記オルゴールが前記内側缶の底部と前記外側缶の底部との間に収納され、前記オルゴールによる演奏とともに、前記内側缶が回転する構成としてある。
【図面の簡単な説明】
【０００７】
【図１】オルゴール缶における図柄の変化を示す説明図である。
【図２】内側缶の側面に施した図柄の展開図である。
【図３】オルゴール缶の外観を示す分解斜視図である。
【図４】オルゴールの外観を示す斜視図である。
【図５】オルゴールの取り付け構成を示す分解斜視図である。
【図６】外側缶の底部を示す正面図である。
【考案を実施するための形態】
【０００８】
以下、図面を参照しながら、本考案の好ましい実施形態について説明する。
図１は、本実施形態におけるオルゴール缶１の外観を示しており、外側缶３の開口部３０から表示される図柄の変化を示す説明図である。オルゴール缶１は、上蓋２と、外側缶３と、内側缶４を有し、内側缶４の内部に物品を収納できる円筒状の収納缶である。オルゴール缶１の内部には、オルゴール１０（不図示）が収納されており、このオルゴール１０による演奏が行われるとともに、内側缶４が回転できる構成になっている。
具体的には、内側缶４は、外側缶３に収納された状態で、オルゴール１０による演奏に合わせて回転できる構成になっている。そのため、内側缶４が回転することで、外側缶３の開口部３０から表示される内側缶４に施された図柄が変化するため、オルゴール１０を楽しむ者は、オルゴール１０による演奏を聴覚で楽しみながら、開口部３０から表示される図柄の変化を視覚でも楽しむことができる。
【０００９】
また、オルゴール缶１は、金属材料により形成されており、例えば、ブリキ、ティンフリースチール又はアルミニウムなどを用いることができ、十分な強度を有している。その上、このような金属材料を用いることで、内部に収納されるオルゴール１０による演奏の音量が共鳴・増幅されて、音の響きが長くなるため余韻を作りだすことができる。その結果、オルゴール１０による演奏の音質を向上できる。
【００１０】
図２は、内側缶４の側面に施された動植物やキャラクターを示す展開図である。
内側缶４の側面には、動植物やキャラクターなどの図柄が印刷によって施されている。このような図柄が、内側缶４の側面の全面にわたり施されることによって、内側缶４が回転したときに、外側缶３の開口部３０から表示される表示態様を変化させ続けることができる。
【００１１】
次に、図３を参照しながらオルゴール缶１を構成する部材について説明する。
上蓋２は、図３（ａ）に示すように外側缶３の上部の開口を覆い閉塞し、外側缶３と着脱可能に形成されている。上蓋２は、傾斜の緩やかな円錐形状をなす天部２０と、内径が外側缶３の外径とほぼ同一の大きさをなす胴部２１を有して形成されている。そのため、上蓋２は、胴部２１を外側缶３の上部に嵌め込むことにより、内側缶４の収納空間を閉じた空間とすることができる。
なお、この上蓋２は、使用用途によっては用いない構成とすることもできる。
【００１２】
外側缶３は、図３（ｂ）に示すように側面に複数の開口部３０を有し、内側缶４を内部に収納するために内側缶４よりも大きい径及び高さで有底円筒状に形成されている。また、外側缶３は、側面の全面にわたって植物などの図柄が印刷により施されている。複数ある開口部３０は、樹木の間を模すために何れも同一形状のものは無いように形成され、オルゴール１０を楽しむ者は、外側缶３に形成されたこの開口部３０から内側缶４に施された図柄を見ることができる。
なお、開口部３０の形状は、例えば、樹木の間では無く電車の窓を模して内側缶４の図柄を見ることを想定する場合には、同一形状とすることもできる。
【００１３】
また、上部の開口の外周には、縁に沿ってカール処理が施されており、強度を高めるとともに怪我の防止など安全性を高めるように形成されている。また、下部の開口は、底部材（不図示）を二重巻締めすることで、外側缶底部３５が形成され閉塞される。
【００１４】
図３（ｃ）は、内側缶４を示しており、内側缶４は、内部が物品を収納できる収納空間となっており、有底円筒状に形成されている。内側缶４には、動植物などの図柄が印刷されており、外側缶３と内側缶４において、その図柄が全体として統一があるものとなっている。具体的には、外側缶３の側面に施された樹木の間から、内側缶４の回転に伴い、外側缶３の開口部３０を通して内側缶４に施された動植物が見え隠れする。そのため、オルゴール１０を楽しむ者は、森林などの樹木の間から変化する動植物を見ているかのように視覚的にも楽しめるものとなっている。
また、内側缶４には、外側缶３と同様に、上部の開口の外周縁に沿ってカール処理が施され、内側缶４の下部側面と底部材（不図示）による二重巻締めによって下部の開口を閉塞する内側缶底部４５が形成されている。
【００１５】
内側缶底部４５には、オルゴール１０が取り付けられており、そのオルゴール１０の回転軸１２が内側缶４の中心に位置するように調整され取り付けられている。
【００１６】
なお、外側缶３や内側缶４の側面に施される図柄は、内側缶４に収納される物品とは無関係の動植物やキャラクター以外にも、例えば、童話のストーリー、車窓からの景色あるいは内側缶４に収納される商品などと関係のある図柄を表示することで商品の宣伝をすることもでき、さらには、このような図柄を印刷の他にエンボス加工などによっても施すことができる。
【００１７】
ここで、図４を参照しながらオルゴール１０について説明する。
オルゴール１０は、駆動源となるゼンマイ（不図示）が内部に収納されているゼンマイ機構１１と、一端がゼンマイに固定され他端が取付板１３の中央に固定された回転軸１２と、回転させることでゼンマイを巻き上げ可能な取付板１３と、曲目の演奏に応じた突起１４０が表面に施された円柱状のドラム１４と、櫛の目のように分かれた多数の弁１５０を有している振動板１５と、これらを載置するフレーム１６などを備えて構成されている。また、取付板１３には、取付板１３を缶本体３に取り付けるための取付穴１００、フレーム１６には、フレーム１６を下蓋４に取り付けるための取付穴１１０がそれぞれ形成されている。
【００１８】
したがって、回転軸１２の先端にネジによって固定された取付板１３を矢印方向（反時計回り）に回転させれば、ゼンマイ機構１１に収納されているゼンマイにその回転が伝達されるため、ゼンマイを巻き上げることができる。一方、取付板１３をフリーな状態にすると、ゼンマイ機構１１を介してドラム１４が回転する。これにより、ドラム１４表面の突起１４０が振動板１５の弁１５０を弾いて、演奏が行われる構成となっている。
【００１９】
また、内側缶４の回転は、巻かれたゼンマイの戻りの回転力を利用しているため、オルゴール１０による演奏が行われる間、すなわちドラム１４が回転している間は、内側缶４も回転し、内側缶４の回転が止まると、オルゴール１０による演奏も停止することになる。
【００２０】
次に、このように構成されるオルゴール１０の取り付け構成について説明する。
図５は、上蓋２を取り外した状態のオルゴール１０の取り付け構成を示す分解斜視図である。オルゴール１０は、内側缶４の内側缶底部４５の中心に回転軸１２が位置するように取付板１３がリベット(不図示)によって取り付けられている。この結果、ゼンマイの巻き戻りの回転力がバランスよく安定して内側缶底部４５に伝わることになり、回転軸１２を中心として偏ることなく内側缶４が回転される。
なお、取付板１３の内側缶底部４５への取り付けは、リベットによる取り付けに限られず、その他にネジによる取り付けなどでも良い。
【００２１】
さらに、外側缶３の外側缶底部３５には、オルゴール１０のフレーム１６を取り付けるための三つの取付穴３２０と、オルゴール１０のゼンマイを巻くための巻きネジ３１０を取り付けるための取付穴３３０がそれぞれ形成されている。そのため、回転軸１２は、フレーム１６を貫きその下方の外側缶底部３５まで延びており、その先端は、外側缶底部３５の取付穴３３０を通して巻きネジ３１０に取り付けられている。
なお、取付穴３２０の位置や個数などは、オルゴール１０の回転軸１２が外側缶底部３５の中心に位置するように固定できれば良く、適宜変更できるものとする。
【００２２】
図６は、外側缶３の外側缶底部３５を示す正面図である。巻きネジ３１０は、外側缶底部３５を貫通して突出する回転軸１２の一端に取り付けられているため、ゼンマイを巻き上げるために用いられる。そのため、巻きネジ３１０を矢印方向（時計回り）に回転させれば、ゼンマイにその回転が伝わるため、オルゴール１０による演奏が開始するようになっている。
【００２３】
以上説明したように、本考案のオルゴール缶１によれば、オルゴール１０による演奏とともに、外側缶３に収納された内側缶４を回転することができる。そのため、オルゴール１０を楽しむ者は、外側缶３の開口部３０から表示される内側缶４に施された図柄の変化を見ることができるため、視覚的にも楽しむことができる。また、内側缶４の回転は、オルゴール１０のドラム１４を回転させるゼンマイの巻き戻りの回転力を利用しているため、モータなどを用いる場合と比べて安価で簡易な構成となっている。
【００２４】
以上、本考案に好ましい実施形態について説明したが、上述した実施形態にのみ限定されるものではなく、本考案の範囲で種々の変更実施が可能である。
例えば、上述した実施形態では、外側缶３に収納された内側缶４を回転させる例について説明したが、これに限られず、オルゴール１０の回転軸１２を外側缶３に取り付けて、外側缶３を回転させる構成としても良い。
また、オルゴール缶１の材質をブリキ、ティンフリースチール又はアルミニウムなどの金属材料を用いた例を説明したが、これに限られず、陶器、木材又はステンレスなどの何れか一つ、又はこれらの組み合わせたものであってもよい。
【符号の説明】
【００２５】
１  オルゴール缶
３  外側缶
４  内側缶
１０  オルゴール
１２  回転軸
１４  ドラム
３０  開口部
３５  外側缶底部
４５  内側缶底部
【図１】
0003226641.tif 000003
【図２】
0003226641.tif 000004
【図３】
0003226641.tif 000005
【図４】
0003226641.tif 000006
【図５】
0003226641.tif 000007
【図６】
0003226641.tif 000008